(57)【要約】光記憶ディスク（１００）は、前記光記憶ディスクの構造を物理的に変更する必要なく、複数の論理ディスク（１０６、１０８）を備える。本発明の一実施例によれば、２層（１０２、１０４）データディスクは、光ディスク読み込み装置によって読み込み可能な２つの層のそれぞれにデータを保存するように構成される。前記ディスクの第１の領域（１０６Ａ、１０６Ｂ）は第１の論理ディスクについて記録されたデータを含み、第２の領域（１０８Ａ、１０８Ｂ）は第２の論理ディスクについてのデータを保存するように構成され、前記第１及び第２の領域は前記２つの層上に配置される。前記データ論理ディスクのそれぞれは、前記２つの層のそれぞれを横断して、リードイン領域（１０６Ａ、１０８Ａ）及びリードアウト領域（１０６Ｄ、１０８Ｄ）、並びにこれらの領域間にデータのための領域（１０６Ｂ、１０８Ｂ）を含む。前記第１の論理ディスクのリードアウト領域（１０６Ｄ）は、前記第２の論理ディスクのリードイン領域（１０８Ａ）を指すポインティングデータ（１０７）を保存し、前記論理ディスクは必ずしも物理的に隣接していない。
2005507541.tif 000002
【特許請求の範囲】
【請求項１】
光ディスク読み込み装置によって読み込み可能な、２つの層のそれぞれにデータを保存するように構成された２層データディスクであって、
第１の論理ディスクのための第１の領域と第２の論理ディスクのための第２の領域とを有し、前記第１及び第２の領域のそれぞれは前記２つの層に配置され、前記データ論理ディスクのそれぞれはデータ領域及び次いでリードアウト領域によって後続されるリードイン領域を含み、前記リードイン及びリードアウト領域のそれぞれは、それぞれのデータ論理ディスク中に保存されたデータに導き入れる及び該データから導き出す領域をそれぞれ指すデータを保存するように構成され、前記第１の論理ディスクのリードアウト領域は、前記第２の論理ディスクのリードイン領域を指すポインティングデータを保存するように構成され、前記第１及び第２の領域の少なくとも１つは前記データ領域に保存されたデータを含む２層データディスク。
【請求項２】
前記第１の論理ディスクのリードアウト領域のポインティングデータは、暗号化されていないときは第２の論理ディスクのリードイン領域を指す、暗号化されたポインティングデータである、請求項１に記載の２層データディスク。
【請求項３】
前記第１の領域は、前記第１の論理ディスクとして前記光ディスク読み込み装置によって読み込み可能な記録されたデータを含む、請求項２に記載の２層データディスク。
【請求項４】
前記第２の領域は、前記第２の論理ディスクとして前記光ディスク読み込み装置によって読み込み可能な記録されたデータを含む、請求項３に記載の２層データディスク。
【請求項５】
前記第２の領域は、前記第２の論理ディスクとして前記光ディスク読み込み装置によって読み込み可能な記録されたデータを含まないが、前記第２の論理ディスクとしてデータの編集記録のためにデータ書き込み可能である、請求項３に記載の２層データディスク。
【請求項６】
前記第１及び第２の領域は前記光ディスク読み込み装置によって読み込み可能な記録されたデータを含む、請求項１に記載の２層データディスク。
【請求項７】
前記第１及び第２の領域のうち１つのみが前記光ディスク読み込み装置によって読み込み可能な記録されたデータを含み、前記第１及び第２の領域のうちの他方のものは第２の論理ディスクとして前記光ディスク読み込み装置によって読み込み可能な記録されたデータを含まないが、他の論理ディスクとしてデータの編集記録のためにデータ書き込みが可能な、請求項１に記載の２層データディスク。
【請求項８】
前記第１及び第２の領域のうち少なくとも１つが、前記光ディスク読み込み装置によって読み込み可能なオポジット・トラック・パス形式で記録されたデータを含む、請求項７に記載の２層データディスク。
【請求項９】
前記第１及び第２の領域のうち少なくとも１つが、前記光ディスク読み込み装置によって読み込み可能なオポジット・トラック・パス形式で記録されたデータを含む、請求項１に記載の２層データディスク。
【請求項１０】
前記第１及び第２の領域の間に物理的に分離領域を更に含む、請求項９に記載の２層データディスク。
【請求項１１】
前記分離領域はロゴを含む、請求項１０に記載の２層データディスク。
【請求項１２】
前記第１及び第２の領域のうち少なくとも１つが、前記ディスクの内側のエリアから前記ディスクの外側のエリアに向かって前記光ディスク読み込み装置によって読み込み可能な形式で記録されたデータを含み、前記第１及び第２の領域のうちの他のものは、前記ディスクの外側のエリアから前記ディスクの内側のエリアに向かって前記光ディスク読み込み装置によって読み込み可能な形式で記録されたデータを含む、請求項１に記載の２層データディスク。
【請求項１３】
前記第１及び第２の領域のうち少なくとも１つが、前記光ディスク読み込み装置によって読み込み可能な形式で記録されたディジタルオーディオデータを含む、請求項１に記載の２層データディスク。
【請求項１４】
前記第１及び第２の領域のうちの他のものは、ディジタルオーディオデータではない記録されたデータを含む、請求項１３に記載の２層データディスク。
【請求項１５】
前記第１及び第２の領域のうちの他のものも、前記光ディスク読み込み装置によって読み込み可能なディジタルオーディオデータである記録されたデータを含む、請求項１３に記載の２層データディスク。
【請求項１６】
前記第１及び第２の領域のうちの少なくとも１つが、前記ディスクの内側のエリアから前記ディスクの外側のエリアに向かって、及び前記ディスクの外側のエリアから前記ディスクの内側のエリアに向かって前記光ディスク読み込み装置によって読み込み可能な形式で記録されたデータを含む、請求項１に記載の２層データディスク。
【請求項１７】
前記第１及び第２の領域のうちの少なくとも１つが、前記光ディスク読み込み装置によって読み込み可能なパラレル・トラック・パス形式で記録されたデータを含む、請求項１に記載の２層データディスク。
【請求項１８】
光ディスク読み込み装置によって読み込み可能な、２つの層のそれぞれにデータを保存するように構成された２層データディスクであって、
第１の論理ディスクのための第１の領域と第２の論理ディスクのための第２の領域とを有し、前記第１及び第２の領域のそれぞれは前記２つの層に配置され、前記データ論理ディスクはリードイン領域及びリードアウト領域並びにこれら領域の間にデータ領域を含み、前記リードイン及びリードアウト領域のそれぞれは、それぞれのデータ論理ディスク中に保存されたデータに導き入れる及び該データから導き出す領域をそれぞれ指すデータを保存し、前記第１のデータ論理ディスクのリードアウト領域は、暗号化されていないときは前記第２の論理ディスクのリードイン領域を指す、暗号化されたポインティングデータを含み、前記第１及び第２の領域のうちの１つのみが前記光ディスク読み込み装置によって読み込み可能な記録されたデータを含み、前記第１及び第２の領域のうちの他のものは、前記第２のデータ論理ディスクとして前記光ディスク読み込み装置によって読み込み可能な記録されたデータを含まないが、他のデータ論理ディスクとして後のデータの編集記録のために適応され保持される２層データディスク。
【請求項１９】
前記第１及び第２の領域のうち１つのみが、前記ディスクの内側のエリアから外側のエリアに向かって、及び前記ディスクの外側のエリアから前記ディスクの内側のエリアに向かって、前記光ディスク読み込み装置によって読み込み可能な形式で記録されたデータを含む、請求項１８に記載の２層データディスク。
【請求項２０】
前記第１及び第２の領域のそれぞれは、オポジット・トラック・パスＤＶＤ媒体形式に適合される、請求項１８に記載の２層データディスク。
【請求項２１】
前記第１及び第２の領域のうちの１つが、オポジット・トラック・パスＤＶＤ媒体形式に適合される、請求項１８に記載の２層データディスク。
【請求項２２】
前記第２の領域は、逆オポジット・トラック・パスＤＶＤ媒体形式に適合され、前記第２の論理ディスクは、それぞれ外側の径から内側の径へ読み込まれる２つの論理ディスクを含む、請求項１８に記載の２層データディスク。
【請求項２３】
前記第１及び第２の領域のうちの１つのみが、前記ディスクの内側のエリアから前記ディスクの外側のエリアに向かって、及び前記ディスクの外側のエリアから前記ディスクの内側のエリアに向かって、前記光ディスク読み込み装置によって読み込み可能な形式で記録されたデータを含む、請求項１８に記載の２層データディスク。
【請求項２４】
光ディスク読み込み装置によって読み込み可能な、２つの層のそれぞれにデータを保存するように構成された２層データディスクであって、
第１の論理ディスクのための第１の領域と第２の論理ディスクのための第２の領域とを有し、前記第１及び第２の領域のそれぞれは前記２つの層に配置され、前記データ論理ディスクのそれぞれはデータ領域及び次いでリードアウト領域によって後続されるリードイン領域を含み、前記リードイン及びリードアウト領域のそれぞれは、それぞれのデータ論理ディスク中に保存されたデータに導き入れる及び該データから導き出す領域をそれぞれ指すデータを保存するように構成され、前記第１の論理ディスクのリードアウト領域は、前記第２の論理ディスクのリードイン領域を指すポインティングデータを保存するように構成され、前記第１及び第２の領域の少なくとも１つは前記データ領域に保存されたデータを含む２層データディスク。
【発明の詳細な説明】
【技術分野】
【０００１】
本発明は一般に携帯用の記憶媒体に関し、より詳細には光記憶装置及びシステムに関する。
【背景技術】
【０００２】
データ処理システムと共に利用される最も一般的な光ディスク記憶システムの１つは、コンパクトディスク（ＣＤ）ディスクである。ＣＤは、データが１度のみ書き込まれ次いで何度も読み取られる、読み取り専用の光記憶媒体を提供する。ＣＤディスクはディジタル画像、オーディオ、ビデオ、及び／又はテキストデータの混合されたストリームを含むことができる。コンパクトディスクは典型的にリードインエリア、プログラムエリア及びリードアウトエリアを持つ。リードインエリアはディスクの内側に配置され、リードアウトエリアはディスクの外周により近い。ディスクのプログラムエリアは通常、ＣＤプレイヤ又はＣＤ−ＲＯＭドライブによって読み込まれるディジタルオーディオ又はデータを含む。
【０００３】
ＣＤ規格はマルチセッション（multiple session）媒体の概念を組み込んでいる。１つの例においては、第１のセッションがディジタルオーディオセッションであり、第２のセッションが「データセッション」である。データセッションはＣＤ−ＲＯＭドライブによってのみ読み込み可能でＣＤプレイヤによっては読み込み可能でないコンテンツを含む。この記録アプローチは、新世代記憶媒体プレイヤに新たなデータセッション特性を提供する、現存するＣＤプレイヤと下位互換である最新の記憶媒体の例である。デジタルオーディオセッションからデータセッションへのような、コンパクトディスク上に記録されたセッション間の移動において、光読み込み装置は、現在のセッション中に配置された、どこで次のセッションが開始するかを示すポインタを利用する。ディスク上の最後のセッションは、「次セッション」ポインタを含んでも良い。該ポインタが存在する場合、該ポインタは後日に記録され得る存在しないセッションを指す。次セッションポインタがない場合、付加的なセッションは追加されない。
【発明の開示】
【発明が解決しようとする課題】
【０００４】
ＣＤは消費者にとってポピュラーな選択肢だが、今日の複雑なグラフィクス及びライブのビデオの増大する記憶容量要求は、製造者に圧力をかけて新たなディジタルバーサタイルディスク読み取り専用メモリ（ＤＶＤ−ＲＯＭ）ディスクを支持させようとしている。ＤＶＤはその先代よりも高速で動作し、典型的なＣＤの記憶容量の少なくとも８倍である約４．７ＧＢ乃至１７ＧＢの記憶容量を提供する。殆どの長編映画を１枚のディスクに保存するＤＶＤの能力のため、ＤＶＤは人気を劇的に増加させた。しかしながら、映画及びビデオゲームグラフィクスは複雑さを増し続け、進行中の課題は、現在のＤＶＤのパッケージサイズを維持しつつ、更に増加する量のＤＶＤ上の記憶空間を提供することである。
【課題を解決するための手段】
【０００５】
本発明の種々の態様は、ＤＶＤのプログラム汎用性を増加することに向けられる。本発明は、多くの実装及び応用において例示され、その幾つかが以下に要約される。
【０００６】
本発明の実施例によれば、２層データディスクは２つの層のそれぞれにデータを保存するように構成され、該ディスクは光ディスク読み込み装置によって読み込まれることが可能である。前記ディスクは、第１の論理ディスク用の第１のデータ領域、及び第２の論理ディスク用の第２のデータ領域を含む。前記第１及び第２の領域のそれぞれは前記２つの層のそれぞれにおいて配置され、前記論理ディスクのそれぞれはリードイン領域及びリードアウト領域を含み、前記２つの層のそれぞれを横断する該領域間にあるデータに適合される。前記第１の論理ディスクのリードアウト領域は、第２の論理ディスクのリードイン領域を指すポインティングデータを保存する。
【０００７】
本発明の種々の応用はオポジット・トラック・パス（Opposite Track Path、ＯＴＰ）及びパラレル・トラック・パス（Parallel Track Path、ＰＴＰ）フォーマットに向けられる。例えば、ＯＴＰについては、ディスク上の２つの層に分散した１つの論理ディスクがあり、更にデータの切断点において中間領域があり、ＰＴＰについては、２つの論理ディスク、２つのリードイン、２つのリードアウトがあり、中間領域はない。
【０００８】
本発明の関連する実施例においては、第１の論理ディスクのリードアウト領域は、暗号化されたポインティングデータを保存するように構成される。該ポインティングデータは、暗号化されていないときは、第２のデータ論理ディスクのリードイン領域を指す。前記第２の領域は応用に特化したデータを含み、前記第１の領域は応用システムの範囲に跨る「一般消費」のためのデータを含む。前記第１の領域は、他のデータ論理ディスクとしてデータの編集記録のためにデータ書き込み可能であっても良い。
【０００９】
上述の要約は本発明の各説明された実施例又は全ての実装を説明することを意図されたものではない。以下の図及び詳細な説明はより詳しくこれらの実施例を例示する。
【発明を実施するための最良の形態】
【００１０】
本発明は、添付する図と関連した本発明の種々の実施例の以下の詳細な説明を考慮してより完全に理解されるであろう。
【００１１】
本発明は種々の変更及び代替形式に適用できるが、その特性は図において例として示され以下に詳細に説明されるであろう。しかしながら、説明された特定の実施例に本発明を限定することを意図するものではないことは理解されるべきである。反対に、添付された請求項によって定義される本発明の精神及び範囲内にある全ての変更、同等例、及び代替をカバーすることを意図している。
【００１２】
本発明は、暗号化された論理ディスクポインタについて、例えばＤＶＤタイプの媒体及びＣＤ媒体において、拡張された記憶能力及びプログラミング汎用性から利益を得ている光記憶ディスク応用に適用可能であると考えられる。本発明は必ずしもかような応用に限定されるものではないが、本発明の種々の態様の応用は本文脈における種々の例における議論を通して最も良く得られる。
【００１３】
本発明の実施例によれば、２層光ディスクは少なくとも第１のディジタルデータ論理ディスク及び第２のディジタルデータ論理ディスクを提供するように構成される。これら２つの論理ディスクはそれぞれと直接に隣接するが、光ディスク読み込み装置には２つの別のディスクであるかのように見える。前記論理ディスクのそれぞれは、リードイン領域、リードアウト領域、中間領域及びデータ領域を含む。前記論理ディスクのそれぞれはまた、ＯＴＰモードにおいて読み込まれるように構成される。ＯＴＰモードにおいては、前記ディスクは内周部のより低いディスク層における前記リードイン領域から、前記データ領域を横切って、外周部における前記中間層へと読み込まれる。読み込みは上部のディスク層に渡って、反対の方向に前記リードアウト領域へと前記ディスクを横切って継続する。本応用は、ディスクが内側の径から外側の径へと読み込まれる２つの独立したデータエリア（又は論理ディスク）として見える、ＰＴＰ（Parallel Track Pitch）媒体にも適用可能である。
【００１４】
この特定の実施例においては、前記第１のデータ論理ディスクは前記光読み込み装置には見えるが、前記第２のデータ論理ディスクは前記第２の論理ディスクの前記リードイン領域がどこに配置されているかを示すポインタを利用して見出される。前記ポインタは前記第１の論理ディスクのリードアウト領域に配置され、これらの（及びことによると他の）論理ディスクを読み込むように構成され特定のデータセットを保存するために集合的に利用されることができる光読み込み装置によって検出可能である。本発明によれば、古い世代の光読み込み装置には単一の論理ディスクを持っているようにしか見えない、複数の論理ディスクを含む新たなＤＶＤディスクが開発されることができる。より新しい光読み込み装置は、両方の論理ディスクを読み込み、必要に応じて容易に論理ディスク間を切り換えるように構成可能である。
【００１５】
関連する実施例においては、第１の論理ディスクのみが記録されたデータを含む。ここで付加的な論理ディスクが、かつては商用製品と考えられていたＤＶＤディスクに続いて追加されても良い。前記第２の論理ディスクを追加するとき、ＤＶＤ末端製品の以前にプログラムされた論理ディスクのリードアウト領域におけるポインタは、前記新たに追加された論理ディスクを見出すことを可能とされる又はプログラムされる。他の実施例は、前記第１の論理ディスク及び続く論理ディスクを空の／ブランクの（又は部分的に空の／ブランクの）ディスクに追加することを含む。
【００１６】
ここで図を参照すると、図１は本発明の実施例により作成された２層光記憶ディスク１００の例を示している。この特定の実施例においては、ディスク１００の断面図は、ディスク１００が第２の光ディスク層１０４に隣接する第１の光ディスク層１０２を含むことを示す。ディスク１００は、層１０２及び１０４を横断する分離部分１１０によって、第１の論理ディスク１０６及び第２の論理ディスク１０８に分割される。第１の論理ディスク１０６はリードイン領域１０６Ａ、それぞれ層１０２及び１０４を横切るデータ領域１０６Ｂ及び中間領域１０６Ｃ、並びにリードアウト領域１０６Ｄを含む。本例においては、第１の論理ディスク１０６は更に、リードアウト領域１０６Ｄ内に配置されたポインタ１０７を含む。前記リードアウト領域は、次の論理ディスクのリードイン領域を見出すために、光ディスク読み込み装置によって読み込み可能な、ポインタ１０７のポインティングデータを保存する。本実施例においては、ポインタ１０７のポインティングデータは、部分１１０に隣接する第２の論理ディスク１０８のリードイン領域１０８Ａに前記光ディスク読み込み装置を誘導する。
【００１７】
本実施例においてはディスク１００は、矢印１０９によって示されるように、オポジット・トラック・パス（Opposite Track Path、ＯＴＰ）モードで読み込まれる。図示されるように、ＯＴＰモードでのディスク１００の読み込みは、リードイン領域１０６Ａにおいて開始し、層１０２の中間領域１０６Ｃまで、データ領域１０６Ｂを渡って移動する。低部の層については疑似リードアウト、上部の層については疑似リードインである中間層にはデータはない。かくして、データ領域についての接合点を利用して、層１０４まで中間層１０６Ｃを通り、及びデータ領域１０６Ｂからリードアウト領域１０６Ｄまでに渡って戻り、横断的に読み込みは継続する。利用される光ディスク読み込み装置のタイプに依存して、本例においては、論理ディスク１０８が該ディスク読み込み装置に見えないために読み込みセッションは終了する。
【００１８】
関連する実施例においては、第２の論理ディスク１０８が前記ディスク読み込み装置に見える場合であっても、ポインタ１０７のポインティングデータがリードアウト領域１０６Ｄ内に暗号化されているために前記装置はリードリン領域１０８Ａを位置特定することができない。前記ポインティングデータを復号化するため、前記ポインタを見出すことを支援する鍵を前記ディスク読み込み装置に供給する必要がある。より新しい世代のディスク読み込み装置においては、ユーザがポインタ１０７を探していることに気付かないように前記鍵がシステム内に自動的にプログラムされても良い。前記ポインティングデータが復号化されると、ポインタ１０７は論理ディスク１０８の読み込みを開始するためにリードイン領域１０８Ａを指す。
【００１９】
ポインタ１０７は次の可能な論理ディスクの物理アドレスを指すように暗号化される。本実施例においては、ポインタ１０７はリードイン領域１０８を位置特定するように暗号化される。一般に、「Ｎ」個の論理ディスクについて、１番目の論理ディスクは２番目の論理ディスクを指し、２番目の論理ディスクは３番目の論理ディスクを指す等する。３つの論理ディスクを１つのディスクに持つ実施例においては、前記ポインタは第３の論理ディスクのリードアウト領域の物理アドレスを指すように暗号化される。前記第３の論理ディスクから、前記第２の論理ディスクのリードアウト領域の物理アドレスを特定するように前記ポインタが暗号化される。それ故、前記ポインタを復号化することは、前記ディスクを適切に読み込み全ての記録された論理ディスクを検出するように前記光読み込み装置に指示することを支援する。
【００２０】
他の実施例においては、付加的な論理ディスクが商業的に終了した製品であるＤＶＤディスクに追加されるか又はブランクのディスクに記録される。以前にプログラムされた論理ディスクのリードアウト領域は、次の論理ディスクの物理アドレスを含むように、前記ポインタのポインティングデータを用いてプログラムされ、それにより前記光読み込み装置を新たに追加された論理ディスクに誘導する。続いて追加された論理ディスクは、リードアウト領域中のポインティングデータ及び次の論理ディスクの物理アドレスを含む。
【００２１】
本発明のアプローチは、先行技術における、付加的な論理ディスク中の全てのデータの暗号化という面倒なタスクを軽減する。新たな世代の光読み込み装置のためのソフトウェア設計は、暗号化された論理ディスクを復号化するためのフィルタリングアルゴリズムを含む必要がないことにより容易化される。本アプローチは、読み込み装置／プレイヤを介した個々の論理ディスクへのアクセスを制御することを製造者に許容することにおいて、ソフトウェアゲーム、光ディスク読み込み装置及びＤＶＤの製造者にも有利である。一実施例においては、第１の論理ディスク１０６は標準のプレイヤには見え、一方で論理ディスク１０６及び１０８はより新たな世代のプレイヤにのみ見える。このことは、前記ディスクがプレイヤのインストールされた基盤と下位互換であることを保証する。
【００２２】
ここで図２を参照すると、本発明の実施例による２層光記憶ディスク２００の他の例が示される。詳細な説明における簡潔さのため、図１における同様の要素に対応する図２における要素は繰り返されない又は改称されない。これら図の間の相違は、新たな参照番号を付される。この特定の例においては、第１及び第２の論理ディスクは互いに隣接しておらず、部分２１０によって分離されている。本実施例においては、部分２１０は前記第１及び第２の論理ディスクの間に配置された物理的なギャップである。部分２１０は金属の被覆（例えばアルミニウム）を含まず、代わりに「ロゴ（logo）」エリアを規定する透明な輪である。該エリアは、該エリアにプリントされた、又はプログラムされた創造的なグラフィクス及び他の例証となるテストに利用可能である。
【００２３】
実施例においては、ポインタ２０７のポインティングデータを適切にプログラムすることのような特定の事は、前記光読み込み装置が、部分２１０を越えて前記第２の論理ディスクのリードイン部分へスキップすることを可能とする。それ故、ディスク２００は、部分２１０を含むことから来る影響を受けることなく、論理ディスクから論理ディスクへと読み込み可能である。関連する実施例においては、部分２１０はディスク開口部に近いディスク２００の内側の部分又は前記ディスクの外周部に配置される。前記ポインティングデータは、部分２１０の新たな位置に対応するように調節される。
【００２４】
実施例においては、単層ＤＶＤディスクが、複数の隣接する論理ディスクを含むようにプログラム可能で、次の論理ディスクがどこで開始するかを示すポインタを示す。関連する実施例においては、前記単層ＤＶＤ上の前記複数の論理ディスクは隣接している必要はなく、前記ポインタが前記ディスク上の他の論理ディスクのアクセス可能性を制限するために暗号化される。本明細書において説明された種々の実施例において、ＤＶＤディスクのそれぞれは、パラレル・トラック・ピッチ（Parallel Track Pitch、ＰＴＰ）フォーマットで読み込まれるように構成されても良い。同様に、本発明の他の実装において、媒体は隣接しない論理ディスクの間に物理的なギャップを含み、前記物理的なギャップは、上述したように、認可されていない媒体のプレイヤを混乱させ及び／又はロゴを前記ディスク上に配置するために有利に利用される。
【００２５】
本発明は幾つかの特定の実施例を参照しながら説明されたが、当業者は、以下の請求項において開示される本発明の精神及び範囲から逸脱することなく、該実施例に対して多くの変更が為され得ることを認識するであろう。
【図面の簡単な説明】
【００２６】
【図１】２相構成の例、即ち本発明の実施例によって作成された光記憶ディスクである。
【図２】他の２相構造の例、即ち本発明の実施例によって作成された光記憶ディスクである。
【図１】
2005507541.tif 000003
【図２】
2005507541.tif 000004
【国際公開パンフレット】
2005507541.tif 000005
2005507541.tif 000006
2005507541.tif 000007
2005507541.tif 000008
2005507541.tif 000009
2005507541.tif 000010
2005507541.tif 000011
2005507541.tif 000012
2005507541.tif 000013
2005507541.tif 000014
2005507541.tif 000015
2005507541.tif 000016
2005507541.tif 000017
【国際調査報告】
2005507541.tif 000018
2005507541.tif 000019
2005507541.tif 000020